(57)【要約】【課題】画像処理装置による印刷処理を実施中に、後処理用トレイに用紙をセットした場合に、印刷ジョブの条件に応じて後処理用トレイに対する後処理の優先度を変更させて、ユーザーの利便性を向上させる。【解決手段】後処理装置（２０）は、記録媒体に対して後処理装置（２０）で所定の後処理を実行させるための後処理用トレイ（２２ｂ）を有し、画像処理装置（１０）のエンジン部（１５）が、印刷ジョブに従って印刷画像データを印刷中の場合、印刷中の印刷ジョブが後処理を伴う場合は、後処理用トレイまたは用紙挿入開口にセットされた記録媒体に対する後処理を禁止し、印刷中の印刷ジョブが後処理を伴わない場合は、後処理用トレイまたは用紙挿入開口にセットされた記録媒体に対する後処理を許可する。【選択図】図３
2020001396.tif 000002
【特許請求の範囲】
【請求項１】
印刷画像データを記録媒体に印刷させるための印刷ジョブに基づき、該印刷ジョブに含まれる印刷画像データを記録媒体に印刷するエンジン部、および該エンジン部による印刷画像データの印刷を制御する制御部を備えた画像処理装置と、
該画像処理装置から搬送される記録媒体に対して所定の後処理を施す後処理装置と、からなる画像処理システムであって、
前記後処理装置は、後処理装置単体で所定の後処理を実行させるための後処理用トレイまたは用紙挿入開口を有し、
前記画像処理装置の前記エンジン部が、前記印刷ジョブに従って印刷画像データを印刷中の場合、
前記印刷中の印刷ジョブが後処理を伴う場合は、前記後処理用トレイまたは前記用紙挿入開口にセットされた記録媒体に対する後処理を禁止し、
前記印刷中の印刷ジョブが後処理を伴わない場合は、前記後処理用トレイまたは前記用紙挿入開口にセットされた記録媒体に対する後処理を許可することを特徴とする画像処理システム。
【請求項２】
請求項１に記載の画像処理システムにおいて、
前記画像処理装置の前記エンジン部が、前記印刷ジョブに従って印刷画像データを印刷中の場合であって、前記印刷中の印刷ジョブが後処理を伴う場合、前記画像処理装置は、前記印刷ジョブに従う印刷を継続して実施し、前記後処理装置は、前記継続して実施した印刷ジョブによる印刷および必要な後処理が完了した後、前記後処理用トレイまたは前記用紙挿入開口にセットされた記録媒体に対して所定の後処理を実行することを特徴とする画像処理システム。
【請求項３】
請求項１に記載の画像処理システムにおいて、
前記画像処理装置の前記エンジン部が、前記印刷ジョブに従って印刷画像データを印刷中の場合であって、前記印刷中の印刷ジョブが後処理を伴う場合、前記画像処理装置は、前記印刷ジョブに従う印刷を継続して実施し、前記後処理装置は、前記継続した実施した印刷ジョブにより、既に画像処理装置が、該画像処理装置に備えられた給紙トレイから給紙した用紙を含む用紙束までの印刷および必要な後処理が完了した後、前記後処理用トレイまたは前記用紙挿入開口にセットされた記録媒体に対して所定の後処理を実行することを特徴とする画像処理システム。
【請求項４】
請求項１〜３のいずれか１に記載の画像処理システムにおいて、
前記エンジン部が、前記印刷ジョブに従って印刷画像データを印刷中の場合であって、前記印刷中の印刷ジョブが後処理を伴わない場合は、
前記画像処理装置は、前記印刷中の印刷ジョブを停止し、
前記後処理装置は、前記後処理用トレイまたは前記用紙挿入開口にセットされた記録媒体に対して所定の後処理を実施することを特徴とする画像処理システム。
【発明の詳細な説明】
【技術分野】
【０００１】
本発明は、画像処理システムに関し、より詳細には、用紙に画像データを印刷（画像形成）する機能を有する画像処理装置に対して後処理装置を接続し、画像処理装置で印刷した用紙を後処理装置に搬送して所定の後処理を実施することを可能にした画像処理システムに関する。
【背景技術】
【０００２】
用紙に画像データを印刷（画像形成）する機能を有する画像処理装置に対して、後処理装置を接続し、画像処理装置で印刷した用紙を後処理装置に搬送して後処理を実施することが可能である。後処理とは、例えば画像処理装置で印刷した用紙にステープルを施すステープルや、印刷した用紙の所定位置に穴あけを行うパンチ、印刷した用紙を折り曲げる紙折り、などを指す。
また、画像処理装置に接続された後処理装置には、画像処理装置から搬送された用紙を後処理するだけでなく、後処理装置に備え付けられているトレイ（以後、後処理用トレイと記述する）に用紙をセットし、その用紙に対して後処理を実施する機能を持つものもある。特に、後処理用トレイに用紙をセットし、その用紙に対してステープルを実施する機能をマニュアルステープルと呼ぶ。
後処理装置は、画像処理装置から搬送される用紙に対する後処理と、後処理用トレイにセットした用紙に対するマニュアルステープル処理とを同時に実施することはできず、いずれかの処理を実施しているときにはもう一方の処理を保留させるのが一般的である。
【０００３】
このようなマニュアルステープル処理を行う際の動作に関して、例えば特許文献１に記載された画像形成装置は、シート処理装置のステープルユニットを、オートステープルモードまたはマニュアルステープルモードのいずれかで動作させることができる。ここでマニュアルステープルモードが設定されている場合は、画像形成装置における画像形成動作が中断される。このときの中断時間は、マニュアルステープルモード時の動作状態に応じて異なっており、その残時間が操作表示パネルに表示出力される。
【先行技術文献】
【特許文献】
【０００４】
【特許文献１】特開２０１５−３８１１号公報
【発明の概要】
【発明が解決しようとする課題】
【０００５】
画像処理装置で印刷ジョブに基づき印刷処理を行う動作と、後処理装置でマニュアルステープルを実行する動作とは、先に動作している方が優先され、優先順序に基づいて後から動作を実行しようとしても、先に動作している処理が完了するまでは動作できないという問題点がある。また、特許文献１には、マニュアルステープルモードが設定されている場合に一定時間印刷処理を中断させる発明が記載されているが、この場合、強制的にマニュアルステープルが優先されてしまい、印刷の再開までに一定時間必要となるため、ユーザーの利便性が悪くなる。
【０００６】
本発明は、上述のごとき実情に鑑みてなされたものであり、画像処理装置による印刷処理を実施中に、後処理用トレイに用紙をセットした場合に、印刷ジョブの条件に応じて後処理用トレイに対する後処理の優先度を変更可能とすることにより、ユーザーの利便性を向上させることができるようにした画像処理システムを提供することを目的とする。
【課題を解決するための手段】
【０００７】
上記課題を解決するために、本発明の第１の技術手段は、印刷画像データを記録媒体に印刷させるための印刷ジョブに基づき、該印刷ジョブに含まれる印刷画像データを記録媒体に印刷するエンジン部、および該エンジン部による印刷画像データの印刷を制御する制御部を備えた画像処理装置と、該画像処理装置から搬送される記録媒体に対して所定の後処理を施す後処理装置と、からなる画像処理システムであって、前記後処理装置は、後処理装置単体で所定の後処理を実行させるための後処理用トレイまたは用紙挿入開口を有し、前記画像処理装置の前記エンジン部が、前記印刷ジョブに従って印刷画像データを印刷中の場合、前記印刷中の印刷ジョブが後処理を伴う場合は、前記後処理用トレイまたは前記用紙挿入開口にセットされた記録媒体に対する後処理を禁止し、前記印刷中の印刷ジョブが後処理を伴わない場合は、前記後処理用トレイまたは前記用紙挿入開口にセットされた記録媒体に対する後処理を許可することを特徴としたものである。
【０００８】
第２の技術手段は、請求項１の技術手段において、前記画像処理装置の前記エンジン部が、前記印刷ジョブに従って印刷画像データを印刷中の場合であって、前記印刷中の印刷ジョブが後処理を伴う場合、前記画像処理装置は、前記印刷ジョブに従う印刷を継続して実施し、前記後処理装置は、前記継続して実施した印刷ジョブによる印刷および必要な後処理が完了した後、前記後処理用トレイまたは前記用紙挿入開口にセットされた記録媒体に対して所定の後処理を実行することを特徴としたものである。
【０００９】
第３の技術手段は、第１の技術手段において、前記画像処理装置の前記エンジン部が、前記印刷ジョブに従って印刷画像データを印刷中の場合であって、前記印刷中の印刷ジョブが後処理を伴う場合、前記画像処理装置は、前記印刷ジョブに従う印刷を継続して実施し、前記後処理装置は、前記継続した実施した印刷ジョブにより、既に画像処理装置が、該画像処理装置に備えられた給紙トレイから給紙した用紙を含む用紙束までの印刷および必要な後処理が完了した後、前記後処理用トレイまたは前記用紙挿入開口にセットされた記録媒体に対して所定の後処理を実行することを特徴としたものである。
【００１０】
第４の技術手段は、第１〜第３のいずれか１の技術手段において、前記エンジン部が、前記印刷ジョブに従って印刷画像データを印刷中の場合であって、前記印刷中の印刷ジョブが後処理を伴わない場合は、前記画像処理装置は、前記印刷中の印刷ジョブを停止し、前記後処理装置は、前記後処理用トレイまたは前記用紙挿入開口にセットされた記録媒体に対して所定の後処理を実施することを特徴としたものである。
【発明の効果】
【００１１】
本発明によれば、画像処理装置による印刷処理を実施中に、後処理用トレイに用紙をセットした場合に、印刷ジョブの条件に応じて後処理用トレイに対する後処理の優先度を変更可能とすることにより、ユーザーの利便性を向上させることができるようにした画像処理システムを提供することができる。
【図面の簡単な説明】
【００１２】
【図１】本発明による画像処理システムの一実施形態における概略構成図である。
【図２】図１のブロック図である。
【図３】後処理装置の平面図である。
【図４】第１の実施形態による処理の一例を説明するためのフローチャートである。
【図５】後処理装置の動作を説明するための図である。
【図６】後処理装置の動作を説明するための図である。
【図７】第２の実施形態による処理の一例を説明するためのフローチャートである。
【図８】優先モード選択画面の表示例を示す図である。
【図９】第３の実施形態による処理の一例を説明するためのフローチャートである。
【図１０】ユーザーに待ち時間を通知するためのＵＩ画面の一例を示す図である。
【発明を実施するための形態】
【００１３】
図１は、本発明による画像処理システムの一実施形態における概略構成図であり、図２は図１のブロック図である。また、図３は後処理装置の平面図である。
本実施形態に係る画像処理システム１００の構成は、大きく画像処理装置１０と後処理装置２０に分けられる。画像処理装置１０は、図１に示す給紙トレイ１８ａ、印字部１８ｂ、定着装置１８ｃや、図２に示すスキャナ部１１、制御部１２、エンジン部１３、記憶装置１４、メモリ１５、ＵＩ（User Interface）表示部１６、操作部１７を有する。
スキャナ部１１は、コピージョブやスキャン送信ジョブなどを実行する際に、原稿台もしくは自動原稿読み込み装置にセットされた原稿を読み込み、制御部１２に画像を送信するモジュールである。
【００１４】
制御部１２は大きく、印刷ジョブ管理部１２１、印刷ジョブ実行部１２２、ファイル制御部１２３、画像処理部１２４、ジョブ時間算出部１２５、表示制御部１２６に分けられる。
印刷ジョブ管理部１２１は、印刷ジョブの登録や削除、停止を行うモジュールである。印刷ジョブ管理部１２１に登録されたジョブが印刷可能だった場合、印刷ジョブ管理部１２１は印刷ジョブ実行部１２２へ印刷要求を行う。印刷ジョブ実行部１２２は、登録された印刷ジョブの印刷順序決定や画像処理部１２４への画像処理要求を行うモジュールである。画像処理部１２４は、印刷ジョブ実行部１２２から要求された画像処理要求に応じて変倍や画像造成などを行うモジュールである。
【００１５】
ファイル制御部１２３は、記憶装置１４に対するファイルの保存や読み出し、メモリ１５へのファイルの展開などを行うモジュールである。ジョブ時間算出部１２５は、印刷ジョブ実行部１２２で決定された印字ページ数や部数、後処理方法などよりそのジョブの印刷および必要な後処理に要する時間を算出するモジュールである。
表示制御部１２６は、ユーザー操作や後処理装置状態通知に従ってＵＩ表示部１６のＵＩ画面に表示する画像を生成するモジュールである。
【００１６】
エンジン部１３は、制御部１２で生成された画像を用紙に印刷するモジュールであり、図１に示した給紙トレイ１８ａからの用紙に、印字部１８ｂで画像データを画像形成し、定着装置１８ｃで定着し、後処理装置２０に向けて送り出す。また、エンジン部１３は、後処理装置２０との通信を行い、後処理装置２０への後処理指示や後処理装置２０の状態を制御部１２に通知する役割を持つ。
記憶装置１４は、主にＨＤＤ（Hard Disk Drive）やＳＳＤ（Solid State Drive）などを指し、スキャンした画像やプリンタデータを一時的に保存しておくモジュールである。
メモリ１５は、スキャン画像や印刷画像などの画像処理を行うために一時的に画像を展
開しておく領域などを指す。
ＵＩ表示部１６は、表示制御部１２６で生成された画面イメージを表示するモジュールであり、主に液晶ディスプレイのことを指す。ＵＩ表示部１６は、本発明の表示部に相当する。また、操作部１７は、ユーザー操作を受け付けるもので、ＵＩ表示部１６と一体化したタッチパネルとして構成することができ、その他操作入力用のキーやボタン類を適用することができる。
【００１７】
後処理装置２０は、後処理制御部２１、後処理トレイ２２、排紙トレイ２３、ステープル装置２４、パンチ装置２５、紙折り装置２６などを有する。ステープル装置２４、パンチ装置２５、紙折り装置２６などの仕上げ装置は、後処理装置２０毎に各仕上げ装置の有無が異なるので、後処理装置２０は、ステープル装置２４、パンチ装置２５、紙折り装置２６のいずれかまたは複数の仕上げ装置を持つこととする。
図１，３に示すステープル装置２４には、例えば水平方向に延びた棒状の支持体２４ａが設けられており、ステープル装置２４は、図示しない駆動源の駆動力により、支持体２４ａに沿って移動することができる。
【００１８】
後処理制御部２１は、画像処理装置１０から搬送される用紙に対して後処理を実施するためにエンジン部１３から後処理指示を受け、指示に応じて各種の仕上げ装置を動作させ、排紙トレイ２３に排出するための一連の制御を行うモジュールである。また、後処理制御部２１は、画像処理装置１０から搬送させる用紙だけでなく、後処理用トレイ２２にセットされた用紙に対して後処理を実施し、排紙トレイ２３に排出するための制御も実施する。後処理用トレイ２２は、図３に示すように、画像処理装置１０から搬送された用紙に後処理を行う第１後処理トレイ２２ａを有し、第１後処理トレイ２２ａには、排紙トレイ２３に向けて用紙を搬送可能な排紙ローラ２２ｃが複数設けられている。また、後処理用トレイ２２は、外部から挿入された用紙に後処理を行う第２後処理トレイ２２ｂを有し、第２後処理トレイ２２ｂには、挿入された用紙を検知する用紙検知センサ２２ｅが設けられている。この第２後処理トレイ２２ｂが、後処理装置単体で後処理のみ実施する際に用紙をセットするトレイであり、本発明の後処理用トレイに相当する。第２後処理トレイ２２ｂは、用紙をセットするわずかなスリット（用紙挿入開口）が付いているだけで、用紙をセットするためにユーザーの支えを必要とする場合もある。
なお、第１後処理トレイ２２ａと第２後処理トレイ２２ｂとの間には、隔壁２２ｄが設置されており、ユーザーが外部から第２後処理トレイ２２ｂに挿入した用紙を位置決めできると共に、この用紙が第１後処理トレイ２２ａに入り込まないように機能する。
【００１９】
本発明に係る画像処理システムの実施形態は、画像処理装置１０のエンジン部１３が、印刷ジョブに従って印刷画像データを印刷中のときに、第２後処理トレイ２２ｂに記録媒体がセットされた際に、印刷ジョブに含まれる情報に応じて、第２後処理トレイにセットされた記録媒体に対する後処理の優先順位を変更可能としたものである。以下に後処理の優先順位を変更させるときの処理の各実施形態を説明する。
【００２０】
（実施形態１）
本発明に係る第１の実施形態は、上記図１，２に示す構成の画像処理システムにおいて、印刷画像データを印刷中のときに、第２後処理トレイ２２ｂに記録媒体（用紙）がセットされた際に、印刷ジョブに含まれる後処理情報に所定の後処理を行うことが指示されていた場合には、印刷ジョブに従う印刷を継続して実施し、その印刷ジョブによる印刷および必要な後処理が完了した後、第２後処理トレイ２２ｂにセットされた記録媒体に対して所定の後処理を実行する。また印刷画像データを印刷中のときに、第２後処理トレイ２２ｂに記録媒体がセットされた際に、印刷ジョブに含まれる後処理情報に所定の後処理を行うことが指示されていなかった場合には、印刷中の印刷ジョブを停止し、後処理装置は、第２後処理トレイ２２ｂにセットされた用紙に所定の後処理を実施する。
【００２１】
図４は、第１の実施形態による処理の一例を説明するためのフローチャートであり、図５，６は、後処理装置の動作を説明するための図である。
まず図５（Ａ）に示す第２後処理トレイ２２ｂに用紙Ｓがセットされた際、第２後処理トレイ２２ｂに備えられている用紙検知センサ２２ｅが用紙Ｓを検知し、後処理装置２０から画像処理装置１０に用紙あり情報を通知する（ステップＳ１）。
すると、画像処理装置１０の印刷ジョブ管理部１２１は、現状の印刷ジョブ実行状況を確認する（ステップＳ２）。そこで印刷ジョブ管理部１２１が印刷ジョブなしと判断した場合は（ステップＳ２−ＮＯ）、後処理装置２０にマニュアルステープル実施許可を通知し、後処理装置２０はマニュアルステープルを実施する（ステップＳ６）。この例では後処理装置２０が実施する後処理として、マニュアルステープルを例にして説明する。より詳しくは、マニュアルステープル実施許可が通知されると、ステープル装置２４が支持体２４ａに沿って図５（Ａ）の位置Ａ（ホームポジション）から図５（Ｂ）の位置Ｂに移動し、第２後処理トレイ２２ｂで用紙Ｓにマニュアルステープルが行われる。その後、マニュアルステープルが終了し、第２後処理トレイ２２ｂから用紙Ｓが取り除かれ、用紙検知センサ２２ｅで用紙が検知されなくなった場合、ステープル装置２４が位置Ａに戻る。
なお、後処理装置には、用紙検知センサの検知が鈍い場合や、用紙検知センサによる検知を設定で無効化した場合、第２後処理トレイ２２ｂにセットされた用紙に、手動でマニュアルステープルを行えるようにするための手動スイッチを設けてもよい。
【００２２】
一方、ステップＳ２で印刷ジョブ管理部１２１が印刷ジョブありと判断した場合、印刷ジョブの後処理情報を参照し、後処理の有無を確認する（ステップＳ３）。ここで印刷ジョブに後処理設定がなされている場合は（ステップＳ３−ＹＥＳ）、印刷ジョブを優先させるため、マニュアルステープルを保留し、印刷ジョブの完了を待つ（ステップＳ４）。
より詳しくは、第２後処理トレイ２２ｂに用紙Ｓがセットされていても、ステープル装置２４は図６（Ａ）の位置Ａに留まり、図６（Ｂ）に示すように、第１後処理トレイ２２ａで用紙Ｓ’にステープルが行われる。その後、このステープルが終了した場合、図６（Ｃ）に示すように、用紙Ｓ’は排紙ローラ２２ｃにより排紙トレイ２３に排出される。
一方、印刷ジョブに後処理設定がなされていない場合は（ステップＳ３−ＮＯ）、印刷ジョブ管理部１２１は、印刷ジョブ実行部１２２に対して印刷停止を要求し、後処理設定がなされていない印刷ジョブを即停止させる（ステップＳ５）。ここでは、後処理設定がなされていない印刷ジョブに基づき印刷を行っているときとは、後処理装置による例えばマニュアルステープルの動作が実行できない場合を想定している。例えばステープル装置２４が位置Ａから位置Ｂに移動するとき、印刷された用紙の搬送路を横切って通過する必要があるため、用紙印刷動作の最中にステープル装置２４の位置を変えることが出来ない。この場合、後処理設定がなされていない印刷ジョブの開始が許可されていても即停止させる。
【００２３】
印刷ジョブが完了、もしくは、即停止し、マニュアルステープルが実行可能となったら、印刷ジョブ管理部１２１は、後処理装置２０にマニュアルステープル実施許可を通知し、マニュアルステープルを実施させる（ステップＳ６）。マニュアルステープルの実施後は、印刷ジョブ管理部１２１は、停止させている印刷ジョブがあるかどうか判別し（ステップＳ７）、停止中の印刷ジョブがある場合は（ステップＳ７−ＹＥＳ）、印刷ジョブを再開させる（ステップＳ８）。なお、後処理設定がなされていない印刷ジョブも、第１後処理トレイ２２ａに載置された後、ステープルされることなく排紙ローラ２２ｃにより排紙トレイ２３に排出される。一方、停止中の印刷ジョブがない場合には、処理を終了する。
【００２４】
ここで、後処理設定がなされている印刷ジョブ中に、 印刷ジョブを即停止してマニュアルステープルを優先的に実施しない理由について記載する。
後処理装置２０の種類にもよるが、ステープルや紙折り、サドルステープルなどは、複数の用紙を１つの束として後処理を実施するものである。そのため、一度中間処理トレイに用紙をためて、１つの束を構成する最終の紙が中間処理トレイに排紙された時点で後処理を実施し、排紙トレイに排出する。
【００２５】
ステープルの例をあげると、一般的に後処理装置２０には、１つのステープルユニット、および１つの中間処理トレイしか付いておらず、印刷ジョブのステープルとマニュアルステープルでは同じものを使用することになる。そのため、中途半端な状態で印刷ジョブを止めてしまうと、中間処理トレイに用紙が残ったままになったり、ユニットのイニシャル動作が正常にできなかったりといった不具合発生につながる。従って、後処理設定がなされている印刷ジョブの実行中には、印刷ジョブを停止してマニュアルステープルを優先させる処理を実施しない。
【００２６】
（実施形態２）
本発明に係る第２の実施形態は、上記図１，２に示す画像処理システムにおいて、印刷ジョブに従って印刷画像データを印刷中のときに、第２後処理トレイ２２ｂに記録媒体がセットされた際に、印刷ジョブに含まれる後処理情報に所定の後処理を行うことが指示されていなかった場合には、表示部は、第２後処理トレイ２２ｂにセットされた記録媒体（用紙）に対する所定の後処理を優先するか、印刷中の印刷ジョブを優先するか、を選択する操作を可能とする選択画面を表示してユーザーに選択させた上で処理を実行する。
【００２７】
図７は、第２の実施形態による処理の一例を説明するためのフローチャートである。この例においても、後処理装置２０が実施する後処理として、マニュアルステープルを例にして説明する。
図７のフローチャートのステップＳ１１〜Ｓ１４の処理は、第１の実施形態で説明した図４のフローチャートのステップＳ１〜Ｓ４と同じである。
すなわち、後処理装置２０の第２後処理トレイ２２ｂに用紙がセットされた際、第２後処理トレイ２２ｂに備えられている用紙検知センサが用紙を検知し、後処理装置２０から画像処理装置１０に用紙あり情報を通知する（ステップＳ１１）。すると、画像処理装置１０の印刷ジョブ管理部１２１は、現状の印刷ジョブ実行状況を確認する（ステップＳ１２）。そこで印刷ジョブ管理部１２１が印刷ジョブなしと判断した場合は（ステップＳ１２−ＮＯ）、後処理装置２０にマニュアルステープル実施許可を通知し、後処理装置２０がマニュアルステープルを実施する（ステップＳ１８）。
【００２８】
一方、ステップＳ１２で印刷ジョブ管理部１２１が印刷ジョブありと判断した場合、印刷ジョブの後処理情報を参照し、後処理の有無を確認する（ステップＳ１３）。ここで印刷ジョブに後処理設定がなされている場合は（ステップＳ１３−ＹＥＳ）、印刷ジョブを優先させるため、マニュアルステープルを保留し、印刷ジョブの完了を待つ（ステップＳ１４）。
【００２９】
ここで本実施形態では、ステップＳ１３で、印刷ジョブに後処理設定がされていない場合には（ステップＳ１３−ＮＯ）、ＵＩ表示部１６のＵＩ画面に、優先モード選択画面を表示させる（ステップＳ１５）。つまり、ＵＩ表示画面に対して、「マニュアルステープル優先」モードと、「印刷優先」モードとのいずれかを選択させるような画面を表示させる。
【００３０】
図８は、上記の優先モード選択画面の表示例を示す図であり、図中、１６はＵＩ表示部、３０は優先モード選択画面、３１はマニュアルステープル優先モード選択キー、３２は印刷優先モード選択キーである。
図８の優先モード選択画面３０は、第２後処理トレイ２２ｂに用紙があり、印刷ジョブに後処理設定がなされてない場合に表示され、ユーザーがいずれかのモード選択キーを押してモードを選択するか、印刷ジョブが完了するか、もしくは第２後処理トレイ２２ｂから用紙が取り除かれるまで表示される。
【００３１】
図７のフローチャートに戻って説明する。ステップＳ１５で優先モード選択画面を表示させた後、ユーザーが「マニュアルステープル優先」モードを選択した場合（ステップＳ１６−ＹＥＳ）、印刷ジョブ管理部１２１は、実行中の印刷ジョブを停止させる（ステップＳ１７）。一方、ユーザーが「印刷優先」モードを選択した場合は（ステップＳ１６−ＮＯ）、「後処理設定ありの印刷ジョブ実行中」の場合と同様に、印刷ジョブが完了するまでマニュアルステープルを保留し、印刷ジョブの完了を待つ（ステップＳ１４）。
【００３２】
印刷ジョブが完了、もしくは、即停止し、マニュアルステープルが実行可能となったら、印刷ジョブ管理部１２１は、後処理装置２０にマニュアルステープル実施許可を通知し、後処理装置２０はマニュアルステープルを実施する（ステップＳ１８）。マニュアルステープルの実施後は、印刷ジョブ管理部１２１は、停止させている印刷ジョブがあるかどうか判別し（ステップＳ１９）、停止中の印刷ジョブがある場合は（ステップＳ１９−ＹＥＳ）、印刷ジョブを再開させる（ステップＳ２０）。一方、停止中の印刷ジョブがない場合には、処理を終了する。
【００３３】
（実施形態３）
本発明に係る第３の実施形態は、上記図１，２に示す画像処理システムにおいて、画像処理装置１０に、第２後処理トレイ２２ｂにセットされた記録媒体に対する所定の後処理を優先するか、印刷中の印刷ジョブを優先するかを予め設定しておき、印刷画像データを印刷中のときに、第２後処理トレイ２２ｂに記録媒体がセットされた際に、印刷ジョブに含まれる後処理情報に所定の後処理を行うことが指示されていなかった場合、予め設定された優先モードに従って処理を実行する。
【００３４】
図９は、第３の実施形態による処理の一例を説明するためのフローチャートである。この例においても、後処理装置２０が実施する後処理として、マニュアルステープルを例にして説明する。
図９のフローチャートのステップＳ２１〜Ｓ２４の処理は、第１の実施形態で説明した図４のフローチャートのステップＳ１〜Ｓ４と同じである。
すなわち、後処理装置２０の第２後処理トレイ２２ｂに用紙がセットされた際、第２後処理トレイ２２ｂに備えられている用紙検知センサが用紙を検知し、後処理装置２０から画像処理装置１０に用紙あり情報を通知する（ステップＳ２１）。すると、画像処理装置１０の印刷ジョブ管理部１２１は、現状の印刷ジョブ実行状況を確認する（ステップＳ２２）。そこで印刷ジョブ管理部１２１が印刷ジョブなしと判断した場合は（ステップＳ２２−ＮＯ）、後処理装置２０にマニュアルステープル実施許可を通知し、後処理装置２０は、マニュアルステープルを実施する（ステップＳ２７）。
【００３５】
一方、ステップＳ２２で印刷ジョブ管理部１２１が印刷ジョブありと判断した場合、印刷ジョブの後処理情報を参照し、後処理の有無を確認する（ステップＳ２３）。ここで印刷ジョブに後処理設定がなされている場合は（ステップＳ２３−ＹＥＳ）、印刷ジョブを優先させるため、マニュアルステープルを保留し、印刷ジョブの完了を待つ（ステップＳ２４）。
【００３６】
ここで本実施形態では、ステップＳ２３で、印刷ジョブに後処理設定がされていない場合には（ステップＳ２３−ＮＯ）、予め設定しておいた優先モード設定に従って、マニュアルステープル優先モードと印刷優先モードのいずれかの動作を実施する。ここでは、印刷ジョブ管理部１２１は、画像処理装置１０の設定がマニュアルステープル優先のモード設定がなされているかを判断し（ステップＳ２５）、マニュアルステープル優先モードの設定がなされていた場合、実行中の印刷ジョブを停止させる（ステップＳ２６）。
一方、印刷優先モードの設定がなされていた場合は、「後処理設定ありの印刷ジョブ実行中」の場合と同様に、印刷ジョブが完了するまでマニュアルステープルを保留し、印刷ジョブの完了を待つ（ステップＳ２４）。
【００３７】
印刷ジョブが完了、もしくは、即停止し、マニュアルステープルが実行可能となったら印刷ジョブ管理部１２１は、後処理装置２０にマニュアルステープル実施許可を通知し、後処理装置２０はマニュアルステープルを実施する（ステップＳ２７）。マニュアルステープルの実施後は、印刷ジョブ管理部１２１は、停止させている印刷ジョブがあるかどうか判別し（ステップＳ２８）、停止中の印刷ジョブがある場合は（ステップＳ２８−ＹＥＳ）、印刷ジョブを再開させる（ステップＳ２９）。一方、停止中の印刷ジョブがない場合には、処理を終了する。
【００３８】
（実施形態４）
実施形態１では、第２後処理トレイ２２ｂに用紙がセットされた際に、印刷ジョブが実行されているとき、その印刷ジョブに後処理の設定がなされている場合には、後処理装置２０によるマニュアルステープル処理を保留し、印刷ジョブの完了を待って、その後マニュアルステープル処理を実施していた。
これに対して本実施形態では、印刷ジョブの完了を待つのではなく、印刷ジョブの用紙束の区切りまで印刷及び後処理がされた時点で、マニュアルステープルを割り込ませるようにする。例えば印刷ジョブに設定された後処理が、複数束のステープル処理であった場合、印刷ジョブの実行中に第２後処理トレイ２２ｂに用紙がセットされた場合、印刷ジョブの複数束のステープル処理の束ごとの区切りの部分で、印刷ジョブを中断し、後処理装置２０でマニュアルステープル処理を実行させる。そしてマニュアルステープル処理が終了した後、中断後の印刷ジョブののこりのステープル処理を実行させるようにする。この処理では、画像処理装置１０において、印刷用の用紙を給紙するための給紙トレイから給紙したトレイを含む用紙までを含む用紙束に対して、ステープル処理を実行し、その時点でステープルを中断して、後処理装置２０のマニュアルステープル処理を実行させる。これにより、中間処理トレイに用紙が残ったままになったり、ユニットのイニシャル動作が正常に実行できなくなる、等の不具合を防止することができる。
【００３９】
（実施形態５）
上記実施形態１〜実施形態３では、第２後処理トレイ２２ｂに用紙がセットされた際に、印刷ジョブが実行されているとき、その印刷ジョブに後処理の設定がなされている場合には、後処理装置２０によるマニュアルステープル処理を保留し、印刷ジョブの完了を待って、その後マニュアルステープル処理を実施していた。また実施形態４では、実施形態１〜３と同条件のときに、印刷ジョブの完了までを待つのでなく、印刷ジョブの用紙束の区切りまで印刷及び後処理した時点まで待って、マニュアルステープル処理を実施するようにしていた。
【００４０】
上記の印刷ジョブの完了まで待つ間、もしくは用紙束の区切りまでの印刷及び後処理が完了するまで待つ間、マニュアルステープルは実施されないが、ユーザーは、実際にどの程度の時間待つ必要があるのかを理解することができない。そこで本実施形態では、ユーザーの待ち時間をユーザーに通知するための画面を画像処理装置１０のＵＩ表示部１６に表示させる。
図１０は、ユーザーに待ち時間を通知するためのＵＩ画面の一例を示す図である。画像処理装置１０のジョブ時間算出部１２５は、印刷ジョブ実行部１２２が保有している印刷ジョブのページ数、印刷部数、後処理設定、用紙サイズ、用紙タイプ、印刷済みのページ数などの情報を用いて、待ち時間を算出し、ＵＩ表示部１６のＵＩ画面に表示させる。この例では、現在マニュアルステープルを実行できない旨を表示するとともに、マニュアルステープルを開始するまでの時間を表示することで、マニュアルステープルが開始されるまでの待ち時間をユーザーに通知することができる。
【００４１】
（実施形態６）
上記実施形態１、３、４では、画像処理装置１０の制御部１２の制御にて印刷ジョブの有無の判別、優先モードの判別、印刷ジョブの停止処理等を行うものとしたが、これらの処理は後処理装置２０にて実施するものであってもよい。なお、実施形態２は、優先モード選択画面をＵＩ画面表示させる処理が必要であるため、この処理を後処理装置２０で実行することはできないが、他の部分の処理を後処理装置２０で実行するようにしてもよい。
【００４２】
例えば実施形態１の処理を後処理装置で行う場合、後処理装置２０の第２後処理トレイ２２ｂに用紙がセットされたことを検知すると、後処理装置２０は、画像処理装置１０の印刷ジョブ管理部１２１に問い合わせて現状の印刷ジョブ実行状況を確認する。そこで後処理装置２０は、印刷ジョブなしと判断した場合はマニュアルステープルを実施する。
【００４３】
一方、後処理装置２０が印刷ジョブありと判断した場合、印刷ジョブの後処理情報を確認し、印刷ジョブに後処理設定がなされている場合は、印刷ジョブを優先させるため、マニュアルステープルを保留して、印刷ジョブの完了を待つ。一方、印刷ジョブに後処理設定がなされていない場合は、後処理装置２０は、画像処理装置１０に対して印刷停止を要求し、印刷ジョブを即停止させる。
【００４４】
印刷ジョブが完了、もしくは、即停止し、マニュアルステープルが実行可能となったら、後処理装置２０は、マニュアルステープルを実施する。そして後処理装置２０は、停止させている印刷ジョブがあるかどうか判別し、停止中の印刷ジョブがある場合は、印刷ジョブを再開させ、停止中の印刷ジョブがない場合には、処理を終了する。
【００４５】
また例えば実施形態３の処理を後処理装置で行う場合、後処理装置２０の第２後処理トレイ２２ｂに用紙がセットされたことを検知すると、後処理装置２０は、画像処理装置１０の印刷ジョブ管理部１２１に問い合わせて現状の印刷ジョブ実行状況を確認する。そこで後処理装置２０は、印刷ジョブなしと判断した場合はマニュアルステープルを実施する。
一方、後処理装置が印刷ジョブありと判断した場合、印刷ジョブの後処理情報を確認し、印刷ジョブに後処理設定がなされている場合は、印刷ジョブを優先させるため、マニュアルステープルを保留し、印刷ジョブの完了を待つ。
【００４６】
ここで印刷ジョブに後処理設定がされていない場合には、予め設定しておいた優先モード設定に従って、マニュアルステープル優先モードと印刷優先モードのいずれかの動作を実施する。ここでは、後処理装置２０は、画像処理装置１０の設定がマニュアルステープル優先のモード設定がなされているかを判断し、マニュアルステープル優先モードの設定がなされていた場合、実行中の印刷ジョブを停止させる。一方、印刷優先モードの設定がなされていた場合は、印刷ジョブが完了するまでマニュアルステープルを保留し、印刷ジョブの完了を待つ。
【００４７】
印刷ジョブが完了、もしくは、即停止し、マニュアルステープルが実行可能となったら、後処理装置２０は、マニュアルステープルを実施する。そして後処理装置２０は、停止させている印刷ジョブがあるかどうか判別し、停止中の印刷ジョブがある場合は、印刷ジョブを再開させ、停止中の印刷ジョブがない場合には、処理を終了する。
【００４８】
また実施形態４の処理を後処理装置で行う場合、第２後処理トレイ２２ｂに用紙がセットされた際に、印刷ジョブが実行されているとき、その印刷ジョブに後処理の設定がなされている場合には、後処理装置２０によるマニュアルステープル処理を保留する。このときに、後処理装置２０は、印刷ジョブの完了を待つのではなく、印刷ジョブの用紙束の区切りまで印刷及び必要な後処理がなされた時点で、マニュアルステープルを割り込ませるようにする。例えば印刷ジョブに設定された後処理が、複数束のステープル処理であった場合、印刷ジョブの実行中に第２後処理トレイ２２ｂに用紙がセットされた場合、印刷ジョブの複数束のステープル処理の束ごとの区切りの部分で、印刷ジョブを中断し、後処理装置２０でマニュアルステープル処理を実行する。そしてマニュアルステープル処理が終了した後、中断後の印刷ジョブののこりのステープル処理を実行させるようにする。
【００４９】
なお上記の実施形態に記載されている技術的特徴（構成要件）はお互いに組み合わせ可能であり、組み合わせることにより新しい技術的特徴を形成することができる。
【符号の説明】
【００５０】
１０…画像処理装置、１１…スキャナ部、１２…制御部、１３…エンジン部、１４…記憶装置、１５…メモリ、１６…ＵＩ表示部、１７…操作部、１８ａ…給紙トレイ、１８ｂ…印字部、１８ｃ…定着装置、２０…後処理装置、２１…後処理制御部、２２…後処理用トレイ、２２ａ…第１後処理トレイ、２２ｂ…第２後処理トレイ、２２ｃ…排紙ローラ、２２ｄ…隔壁、２２ｅ…用紙検知センサ、２３…排紙トレイ、２４…ステープル装置、２４ａ…支持体、２５…パンチ装置、２６…紙折り装置、３０…優先モード選択画面、３１…マニュアルステープル優先モード選択キー、３２…印刷優先モード選択キー、１００…画像処理システム、１２１…印刷ジョブ管理部、１２２…印刷ジョブ実行部、１２３…ファイル制御部、１２４…画像処理部、１２５…ジョブ時間算出部、１２６…表示制御部。
【図１】
2020001396.tif 000003
【図２】
2020001396.tif 000004
【図３】
2020001396.tif 000005
【図４】
2020001396.tif 000006
【図５】
2020001396.tif 000007
【図６】
2020001396.tif 000008
【図７】
2020001396.tif 000009
【図８】
2020001396.tif 000010
【図９】
2020001396.tif 000011
【図１０】
2020001396.tif 000012